(57)【要約】【目的】視聴してみたい番組が複数ある場合にこれら複数番組の雰囲気を確認することができる録画装置制御機能付き放送受信装置を提供する。【構成】録画装置制御機能付き放送受信装置３０は、番組放送時間の重複を問わずに複数の番組の録画予約をＥＰＧ画面上などで受け付ける。そして、前記録画予約された複数の番組をその放送時間中に順次受信すべくチューナ２等を制御し、各番組についてその一部分を録画装置（内蔵のハードディスクドライブ６、ディジタル用外部録画装置３１、或いはアナログ用外部録画装置３２）に録画させる。【選択図】　　　図１
2004064635.tif 000002
【特許請求の範囲】
【請求項１】
ディジタル放送波を受信する受信手段と、番組放送時間の重複を問わずに複数の番組の録画予約を受け付ける手段と、前記複数の番組をその放送時間中に順次受信して各番組の一部分を録画装置に録画させる制御手段と、を備えたことを特徴とする録画装置制御機能付き放送受信装置。
【請求項２】
請求項１に記載の録画装置制御機能付き放送受信装置において、各番組の一部分がなるべく番組の冒頭部分となるように録画制御を行うように構成されたことを特徴とする録画装置制御機能付き放送受信装置。
【請求項３】
ディジタル放送波を受信する受信手段と、番組放送時間の重複を問わずに複数の番組の録画予約を受け付ける手段と、前記複数の番組をその放送時間中に順次繰り返し受信して各番組の複数部分を録画装置に録画させる制御手段と、を備えたことを特徴とする録画装置制御機能付き放送受信装置。
【請求項４】
請求項４に記載の録画装置制御機能付き放送受信装置において、前記制御手段は各番組の複数部分録画を行うともに記録媒体上の記録位置に対応する情報を生成し、指定された番組の再生指示を受けた場合には、前記情報に基づいて指定された番組のみを連続的に再生するように構成されたことを特徴とする録画装置制御機能付き放送受信装置。
【請求項５】
ディジタル放送波を受信する受信手段と、データ放送番組の録画予約を受け付ける手段と、前記データ放送番組の階層化されたコンテンツを順次展開して各コンテンツのアナログ映像信号を所定時間ずつアナログ録画装置に録画させる制御手段と、を備えたことを特徴とする録画装置制御機能付き放送受信装置。
【発明の詳細な説明】
【０００１】
【産業上の利用分野】
この発明は、ディジタル放送を受信して録画する録画装置制御機能付き放送受信装置に関する。
【０００２】
【従来の技術】
例えば、衛星を用いたディジタル放送受信システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。一方、このようなディジタル放送を受信する放送受信装置は、アンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
このようなディジタル放送では、従来のアナログ放送と同様に映像や音声を送信することに加え、付属情報（番組名、番組内容、番組開始時刻、番組継続時間、ジャンルコード等）も送信しており、受信装置側ではＯＳＤ（オンスクリーンディスプレイ）機能を用いたＥＰＧ（Ｅｌｅｃｔｒｏｎｉｃ　Ｐｒｏｇｒａｍ　Ｇｕｉｄｅ）表示機能によって、多チャンネル放送のなかからユーザが望む番組を選択できるようになっている。また、番組ジャンル情報を用い、ユーザが入力したジャンルに対応するジャンル情報を有する番組を抽出して一覧表示するといったことも行えるようになっている。更に、前記ＥＰＧ機能を用い、放送予定されている番組をＥＰＧ上で選択して録画予約を行うことができるようになっている。番組の録画については、従来より、ビデオカセットレコーダ（ＶＣＲ）等を用い、予約した番組が開始される時刻になると自動的に予約チャンネルを設定して受信した番組を記録することが行われている。また、内蔵したハードディスク等の録画装置に録画させたり、インターフェースとしてＩＥＥＥ１３９４を実装し、受信した番組を外部のハードディスクやＤ−ＶＨＳ等の録画装置に録画させるといったことも可能になっている。
【０００４】
【発明が解決しようとする課題】
ところで、ユーザが多チャンネルのなかから視聴する番組を決定するには、上述のとおり、ＥＰＧ表示やジャンル検索による番組一覧表示などが役に立つが、各番組がどのような内容であるのかを十分に把握できないため、視聴する番組を絞り込むことができない場合がある。視聴してみたい番組が多数ある場合、視聴時間や録画データ量などの制約から、全ての番組を視聴したり、録画したりすることは困難である。また、視聴してみたい番組が同一時間帯に放送される場合には、リモコン送信機を用いて短時間でチャンネルを切り替えながら視聴していくことはできるが、録画による場合には１つの番組を選択しなければならない。
【０００５】
この発明は、上記の事情に鑑み、視聴してみたい番組が複数ある場合にこれら複数番組の雰囲気を確認することができる録画装置制御機能付き放送受信装置を提供することを目的とする。
【０００６】
【課題を解決するための手段】
この発明の録画装置制御機能付き放送受信装置は、上記の課題を解決するために、ディジタル放送波を受信する受信手段と、番組放送時間の重複を問わずに複数の番組の録画予約を受け付ける手段と、前記複数の番組をその放送時間中に順次受信して各番組の一部分を録画装置に録画させる制御手段と、を備えたことを特徴とする。
【０００７】
上記の構成であれば、ユーザは視聴してみたい複数番組について録画予約を行っておくことで、録画装置には複数番組の一部分が順次録画されていくことになり、複数の番組について一度にその雰囲気を確認することが可能になる。
【０００８】
各番組の一部分がなるべく番組の冒頭部分となるように録画制御を行うように構成されているのがよい。
【０００９】
また、この発明の録画装置制御機能付き放送受信装置は、ディジタル放送波を受信する受信手段と、番組放送時間の重複を問わずに複数の番組の録画予約を受け付ける手段と、前記複数の番組をその放送時間中に順次繰り返し受信して各番組の複数部分を録画装置に録画させる制御手段とを備えたことを特徴とする。
【００１０】
上記の構成であれば、例えば番組の初めから終わりまでの間で複数部分の録画が行われることになるので、番組の雰囲気が一層分かりやすくなる。
【００１１】
前記制御手段は各番組の複数部分録画を行うともに記録媒体上の記録位置に対応する情報を生成し、指定された番組の再生指示を受けた場合には、前記情報に基づいて指定された番組のみを連続的に再生するように構成されているのがよい。これによれば、例えば番組Ａ→番組Ｂ→番組Ｃ→番組Ａ→番組Ｂ→番組Ａの順番で各番組の複数部分が録画された場合において、番組Ａの再生指示を受けると、自動的に番組Ａの録画部分だけが連続的に再生処理されることになり、ユーザによる再生／早送り或いはサーチといった操作負担を軽減することができる。
【００１２】
また、この発明の録画装置制御機能付き放送受信装置は、ディジタル放送波を受信する受信手段と、データ放送番組の録画予約を受け付ける手段と、前記データ放送番組の階層化されたコンテンツを順次展開して各コンテンツのアナログ映像信号を所定時間ずつアナログ録画装置に録画させる制御手段と、を備えたことを特徴とする。
【００１３】
上記の構成であれば、アナログ録画装置を用いる場合でも、データ放送番組について所定項目部分を順次操作して閲覧していくかのごとく、各コンテンツを順次視聴していくことができる。
【００１４】
【発明の実施の形態】
以下、この発明の実施形態を図１乃至図４に基づいて説明するが、ここではユーザがＢＳ（Ｂｒｏａｄｃａｓｔｉｎｇ　Ｓａｔｅｌｌｉｔｅ）ディジタル放送を視聴する場合を例示している。図１はこの実施形態の録画装置制御機能付き放送受信装置３０を示したブロック図であり、図２は番組部分録画処理の説明図であり、図３は番組部分録画再生処理の説明図であり、図４はデータ放送のアナログ録画処理を示した説明図である。
【００１５】
図１において、アンテナ１は、屋外において所定の方向に向けて配置されており、ＢＳから送られてくるディジタル放送波を受信する。このアンテナ１は一般に周波数変換器を備え、受信／周波数変換した信号をチューナ２に与える。
【００１６】
チューナ２は、受信した高周波ディジタル変調信号のうちから特定周波数を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ）３は、チューナ２から出力されるトランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。そして、デマルチプレクサ３におけるＴＳデコーダ３ａは、利用者によって選択された番組を構成するトランスポート・ストリーム（以下、パーシャルＴＳという）をＭＰＵ１７の指令（指示されたＰＩＤ）に基づいて取り出し、ストリーム記録・再生部４及びＡＶデコーダ７に供給する。任意のチャンネルを選択するための処理は、前記ＰＳＩ／ＳＩから任意のチャンネルがトランスポート・ストリーム中でどのパケットＩＤ（ＰＩＤ）で多重化されているかといったデータを取り出すことで可能となる。また、トランスポート・ストリームの選定（トランスポンダの選定）もＰＳＩ／ＳＩの情報に基づいて行うことができる。更に、サービス情報（ＳＩ）には、番組情報（番組内容、番組開始時刻、番組継続時間、ジャンルコード等）が含まれている。
【００１８】
ストリーム記録・再生部４は、ＴＳデコーダ３ａから出力されたパーシャルＴＳを内蔵録画装置であるハードディスクドライブ（ＨＤＤ）６に書込み（記録）、また、ハードディスクドライブ６からパーシャルＴＳを読み出すことができる（再生）。更に、ストリーム記録・再生部４は、ディジタル用外部録画装置（Ｄ−ＶＨＳ、ハードディスク、ＭＯ等）３１との間でＩＥＥＥ１３９４インターフェース５を通じてパーシャルＴＳの入出力をも行うこととしている。これら記録／再生や入出力の指令はＭＰＵ１７によって行われる。
【００１９】
ＡＶデコーダ７は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは入力された符号化信号を復号して音声データを生成する。
【００２０】
映像処理回路８は、ＡＶデコーダ７から映像データを受け取ってＤ／Ａ変換を行い、例えばコンポジット映像信号に変換する。音声信号処理回路９は、ＡＶデコーダ７から出力された音声データを受け取ってＤ／Ａ変換を行い、例えば右（Ｒ）音のアナログ信号及び左（Ｌ）音のアナログ信号を生成する。
【００２１】
映像出力回路１０及び音声出力回路１１は出力抵抗や増幅器等を備えて成る。ＡＶ出力端子１２には出力部（左右音声出力端子等や映像出力端子等のセット）が設けられており、この出力部には、ディスプレイやスピーカを備えるモニタ１４及びアナログ信号の映像を記録するアナログ用外部録画装置３２が映像／音声コード１３によって接続される。
【００２２】
録画装置用リモコン送信機３３は、アナログ用外部録画装置３２に指令を送出するための送信機であり、ＭＰＵ１７より指令を受け、指令内容を意味する信号光（リモコン信号）を図示しない発光部から出力する。ＭＰＵ１７は、各社の録画装置におけるリモコンコードに基づく指令処理を行うことができ、アナログ用外部録画装置３２に対する指令を行うときには、当該アナログ用外部録画装置３２で用いられるリモコンコードに基づいて録画装置用リモコン送信機３３を駆動する。
【００２３】
ＯＳＤ回路１９は、ＭＰＵ１７から出力指示された文字情報や色情報に基づく映像データを生成して加算器２０に出力する。加算器２０は前記映像データをＡＶデコーダ７から出力される受信映像データに組み込む処理を行う。上記ＯＳＤ回路１９により、ＥＰＧ画面表示などが実現される。
【００２４】
リモコン送信機１５は、当該放送受信装置３０に指令を送出するための送信機である。リモコン送信機１５に設けられたキーを操作すると、そのキーに対応した指令を意味する信号光（リモコン信号）が図示しない発光部から送出される。リモコン受光器１６は、前記信号光を受光し、これを電気信号に変換してＭＰＵ１７に与える。
【００２５】
メモリ（例えば、ＥＥＰＲＯＭ等）１８には、トランスポンダ選定のための情報、ＥＰＧに利用されるサービス情報（番組名、番組内容、番組開始時間、番組継続時間、ジャンルコード等）、録画番組に関する情報などがＭＰＵ１７の処理によって格納される。
【００２６】
ＭＰＵ１７は、この録画装置制御機能付き放送受信装置３０における全体制御を行うものであるが、特にこの発明にかかる制御として以下に説明する番組部分録画再生制御を実行するようになっている。
【００２７】
図２は、ディジタル用外部録画装置３１を用いて、番組の冒頭３分間を録画するように構成した場合の録画制御処理の一例を示した説明図である。ユーザは、例えばメニュー画面から「部分録画」の項目を選択して、放送時間が重複する番組Ａ（Ｃｈ１００）、番組Ｂ（Ｃｈ１０１）、番組Ｃ（Ｃｈ１０２）について部分録画予約を行うことができる。予約番組の放送開始時刻になると、ＭＰＵ１７はＩＥＥＥ１３９４インターフェース５を用いてディジタル用外部録画装置３１に録画実行指令を送出するとともに、番組ＡのＣｈ１００について受信処理を実行し、ＴＳデコーダ３ａから出力されたパーシャルＴＳをＩＥＥＥ１３９４インターフェース５を介してディジタル用外部録画装置３１へ供給するようストリーム記録・再生部４に制御指令を出す。そして、番組Ａの録画時間（３分）が経過すると、続いて番組Ｂの録画を実行させる。番組Ｂの録画時間（３分）が経過すると、ＭＰＵ１７はＩＥＥＥ１３９４インターフェース５経由で録画停止の指令をディジタル用外部録画装置３１に送出する。更に、番組Ｃの放送開始時刻になると、ＭＰＵ１７はディジタル用外部録画装置３１に番組Ｃを３分間録画させる制御を実行する。従って、各番組について略冒頭の３分間がディジタル用外部録画装置３１によって録画されたことになる。これによれば、視聴してみたい番組の放送時間が重複する場合であっても、それぞれの番組の冒頭部分が録画されて再生されるので、各番組の雰囲気を確認するのに好適となる。
【００２８】
図３（ａ）は、テープ式のアナログ用外部録画装置３２を用いて、１２分周期で３分間ずつ繰り返し録画するようにした場合の録画制御処理を示した説明図である。なお、後述する番組再生処理を実現するため、録画に際して各番組を特定する情報と各番組の部分の記録位置に対応する録画管理情報（例えば、録画開始／終了時間情報等）をメモリ１４に記録することとする。なお、Ｄ−ＶＨＳであれば、録画管理情報としてテープ走行カウンタ情報を利用でき、また、ディスク型の録画装置であれば録画管理情報として記録媒体上のアドレス情報などを利用することができる。ここで、放送時間が重複する番組Ａ（Ｃｈ１００）、番組Ｂ（Ｃｈ１０１）、番組Ｃ（Ｃｈ１０２）について録画予約されたとし、アナログ用外部録画装置３２を用いて録画を実行する場合を想定する。録画予約番組の放送開始時刻になると、ＭＰＵ１７はチューナ２に指令を送出して番組ＡのＣｈ１００を選局させ、録画装置用リモコン送信機３３に対して録画を示す制御信号を送出する。録画装置用リモコン送信機３３から録画を示すリモコン信号を受信したアナログ用外部録画装置３２は録画処理を実行する。そして、番組Ａの録画時間（３分）が経過すると、ＭＰＵ１７は、アナログ用外部録画装置３２の録画処理を継続させた状態で、番組ＢのＣｈ１０１を選局させる。番組Ｂの録画時間（３分）が経過すると、ＭＰＵ１７はアナログ用外部録画装置３２に録画停止を命じる。この時点では、番組Ａ及び番組Ｂのみが録画対象番組となるので録画待機状態となり、録画開始から１２分が経過すると、再び番組Ａ及び番組Ｂの録画をそれぞれ３分間ずつ行わせる。番組Ｂの部分録画終了から３分を経過した時点で番組Ｃが放送開始時刻になるので、ＭＰＵ１７はチューナ２に番組ＣのＣｈ１０３を選局させ、アナログ用外部録画装置３２に３分間録画させることになる。そして、この複数部分巡回的録画処理は最も終了時刻が遅い番組Ｂの終了まで続けられる。
【００２９】
図３（ｂ）は、番組Ａだけを再生させるための処理を示した説明図である。アナログ用外部録画装置３２の記録テープには、番組Ａ（Ａ１、Ａ２、Ａ３）、番組Ｂ（Ｂ１、Ｂ２、Ｂ３、Ｂ４）、番組Ｃ（Ｃ１）が混在して記録されているため、番組Ａの再生が指示された場合、ＭＰＵ１７は録画時に記録した録画管理情報を参照し、Ａ１記録部分再生→早送り→Ａ２記録部分再生→早送り→Ａ３記録部分再生のごとくテープ再生・早送り制御を実行する。録画管理情報に基づいて番組Ａの記録部分が終了したことを判断したら、アナログ用外部録画装置３２の再生処理を停止させる。このように、自動的に番組Ａの録画部分だけが連続的に再生されることになり、ユーザによる再生／早送り或いはサーチといった操作負担を軽減することができる。
【００３０】
なお、上記の説明においては、外部録画機器であるディジタル用録画装置３１やアナログ用外部録画装置３２に録画させることとしたが、内蔵録画装置であるハードディスクドライブ（ＨＤＤ）６に録画してもよい。また、ディスク系記録媒体を用いる録画機器においては、図３（ｂ）に示した早送りによらずに、同一番組の次の部分記録箇所へとヘッドを素早く移動させて途切れなく指定番組を再生していくことができる。
【００３１】
また、上記の説明においては、番組冒頭部分の録画や１２分周期の繰り返し録画を例にとって説明したが、これらの録画制御に限るものではなく、ユーザから予め指定された使用許可記憶容量やテープ量と予約番組数や番組時間などから、自動的に各番組の部分録画時間や周期等を算出するようにしてもよいし、また、録画希望時間帯（番組の前半部分、中盤部分、後半部分など）、録画時間、録画周期（例えば、１２分周期で繰り返し録画）などをユーザが指定できることとしてもよい。
【００３２】
図４（ａ）はデータ放送における階層構造を示した説明図であり、同図（ｂ）は同図（ａ）のコンテンツのアナログ録画を示した説明図である。データ放送は図４（ａ）に示したごとく、基本ページ（コンテンツ１）において所定の項目を操作することでその下位層のコンテンツ（１−１，１−２，…）を視聴することができる。ディジタル記録であれば、下位層のコンテンツを含めて記録しておいて、再生時に項目操作に従って下位層のコンテンツを読み出すことが可能であるが、アナログ映像化して記録する場合には、そのようにはいかない。そこで、録画装置制御機能付き放送受信装置３０は、基本ページ（コンテンツ１）のアナログ映像をアナログ用外部録画装置３２に所定時間記録させた後、所定の項目を操作することに相当する処理を行って下位層のコンテンツ（１−１，１−２，…）を取り出して順次アナログ映像化していき、各コンテンツのアナログ映像をアナログ用外部録画装置３２に所定時間記録させていく処理を行う。かかる構成により、アナログ用外部録画装置３２を用いる場合でも、データ放送番組について所定項目部分を順次操作して閲覧していくかのごとく、各コンテンツをユーザは順次再生視聴していくことができる。
【００３３】
【発明の効果】
以上説明したように、この発明であれば、視聴してみたい番組が複数ある場合にこれら複数番組の雰囲気を確認することができる。また、アナログ用外部録画装置しかない場合でも、データ放送番組について所定項目部分を順次操作して閲覧していくかのごとく、各コンテンツをユーザは順次再生視聴していくことができるという効果を奏する。
【図面の簡単な説明】
【図１　】この発明の実施形態の録画装置制御機能付き放送受信装置を示したブロック図である。
【図２】同図（ａ）は番組部分順次録画処理の説明図である。
【図３】同図（ａ）は番組部分巡回録画処理の説明図であり、同図（ｂ）は指定番組の再生処理の説明図である。
【図４】データ放送のアナログ録画処理を示した説明図である。
【符号の説明】
１　　アンテナ
２　　チューナ
３　　デマルチプレクサ（ＤＥＭＵＸ）
３ａ　ＴＳデコーダ
４　　ストリーム記録再生部
５　　ＩＥＥＥ１３９４インターフェース
７　　ＡＶデコーダ
１７　ＭＰＵ
１８　メモリ
１９　ＯＳＤ回路
３１　ディジタル用外部録画装置
３２　アナログ用外部録画装置
３３　録画装置用リモコン送信機
【図１】
2004064635.tif 000003
【図２】
2004064635.tif 000004
【図３】
2004064635.tif 000005
【図４】
2004064635.tif 000006